(57)【要約】【課題】重層構造を利用して強度と加工性の効果を高める紙棺材を提供する。【解決手段】棺本体２０は、底面２１１の周囲に両側にウイング２１４が伸びた長側面２１２と短側面２１３とを二本ずつ形成し、折れ曲がり上方が開口状ボックスとなる被覆板２１と、被覆板２１に対して底面２２１と側面２２２と二つのウイング２２３とを設置し、被覆板２１にくっついてボックス状となる折れ曲がり上方で開口ボックス状となる二つの主構造板２２と、主構造板２２の底面２２１に対応してくっつく底面構造板２３と、主構造板２２の側面２２２に対応してくっつく被覆板２１が棺本体２０の主体構造の最外層に設置され、その上縁部に被覆部となる折れ端２１５を形成する二つの側面構造板２４を有する。【選択図】　図２
0003097782.tif 000002
【実用新案登録請求の範囲】
【請求項１】
棺本体及び蓋から構成される紙棺材であって、
棺本体は、
上方が開口状ボックスとなるように折れ曲がるものであって底面の周囲に両長側面及び両短側面を有し、両長側面の両側にウイングが伸びる第一被覆板と、
上方が開口状ボックスとなるように折れ曲がり重なり合うものであって該第一被覆板に対して底面と、側面と、二つのウイングとを設置し、該第一被覆板に接合することでボックス状となる二つの主構造板と、
該主構造板の底面に対応して接合する底面構造板と、
該主構造板の側面に対応して接合する二つの側面構造板とを備え、
蓋は、
周縁が下に折れ曲がり凵型槽をつくる第二被覆板と、
第二被覆板の内側に設置されるものであって周縁が下に折れ曲がって垂直状の結合面をつくり、結合面が第二被覆板の凵型槽内に設置され、且つ上縁面と第二被覆板の間に高度の空間を形成し、高度の空間内に複数の細長い紙板を設置する第二層板と、
外側面が折れ曲がり倒し式Ｌ型部をつくり、第二被覆板の凵型槽内に嵌まらせ、上述の第二層板の結合面と接着し、凵型槽内に固定され、且つ内側面が垂直に伸びて小さな段をつくることで凵型槽の内側壁のカムロック部で凸状に伸び、棺本体の開口部の内側周縁にかぶさる内側板とを備えることを特徴とする紙棺材。
【考案の詳細な説明】
【０００１】
【考案の属する技術分野】
本考案は、重層構造を利用して強度と加工性を向上させた設計の紙棺材に関するものである。
【０００２】
【従来の技術】
環境保護の傾向を満たすために、徐々に紙の材質の棺材が選択されるようになっている。公告第４５４５５０８号の特許案は、環境保護用の紙棺構造を提案しており、大きな紙板の各側面は被覆ペーパーハニカムによって組成されているが、該特許案の一つ目の問題点は、その大きな紙板の加工（裁断、折り曲げ、印刷等・・・）、即ち大型の機械器具で加工するため、設備とスペース上のコストが高くなることで、二番目の問題点は、構造の強度を補強するペーパーハニカムを使用することによって、紙の間に重層構造形態が見られず、強度の向上に限りがあることである。
【０００３】
【考案が解決しようとする課題】
本考案は、従来の技術の有する加工性と構造の強度が悪いという問題に鑑みてなされたものであり、その目的とするところは、重層構造を利用して強度と加工性の効果を高めようとするものである。
【０００４】
【課題を解決するための手段】
請求項１記載の考案によると、紙棺材は、棺本体と蓋とを備えている。棺本体は、底面の周囲に両側にウイングが伸びた長側面と短側面とを二本ずつ形成し、折れ曲がり上方が開口状ボックスとなる第一被覆板と、該第一被覆板に対して底面と側面と二つのウイングとを設置し、該第一被覆板にくっついてボックス状となる折れ曲がり上方で開口ボックス状となる二つの主構造板と、該主構造板の底面に対応してくっつき、二つの側面構造板が該主構造板の側面に対応してくっつく底面構造板とを有している。蓋は、周縁が下に折れ曲がり凵型の溝をつくる第二被覆板と、第二被覆板の内側にあり、第二被覆板の凵型の溝内に設置され、周縁が下に折れ曲がって垂直状の結合面をつくり、上縁面と被覆板の間に複数の細長い紙板を設置する高度の空間を形成する第二層板と、外側面が折れ曲がり倒し式Ｌ型部をつくり、第二被覆板の凵型の溝内に入り、上述の第二層板の構造面としっかりくっつき、凵型の溝内で固定され、内側面が垂直に伸びて小さな段をつくり、凵型の溝の内側のカムロック部で凸状に伸び、棺本体の開口部の内側周縁にかぶさる内側板とを有する。
【０００５】
【考案の実施の形態】
考案の実施例について図面を参照して説明する。
図１において、本考案の実施例が提供する紙棺材は、棺本体２０と蓋３０とを有する。続いて図２〜４に示すように、該棺本体２０は、底面２１１の周囲に両側にウイング２１４が伸びた長側面２１２と短側面２１３とを二本ずつ形成し、折れ曲がり上方が開口状ボックスとなる被覆板２１と、該被覆板２１に対して底面２２１と側面２２２と二つのウイング２２３とを設置し、該被覆板２１にくっついてボックス状となる折れ曲がり上方で開口ボックス状となる二つの主構造板２２と、該主構造板２２の底面２２１に対応してくっつく底面構造板２３と、該主構造板２２の側面２２２に対応してくっつく該被覆板２１が棺本体２０の主体構造の最外層に設置され、その上縁部に被覆部となる折れ端２１５を形成する二つの側面構造板２４を有する。
【０００６】
再び図１において、該棺本体２０の表面には装飾層１０が設置されているが、装飾層１０とは、棺本体２０の表面に直接印刷されるか、接着方式によって棺本体２０の表面に固定される。また、該装飾層１０を各種模様にすることができ、例えば木目の模様にして、棺の質感を木製の棺に類似させることができる。
【０００７】
また、該装飾層１０の印刷過程を更に容易にするため（面積が小さければ小さいほど印刷が容易）、該被覆板２１及び二つの主構造板２２の位置を交換し、面積の比較的小さい二つの主構造体２２の外面に該装飾層１０を印刷するようにする。よって、図５に示すように二つの主構造板２２は棺本体２０の主体構造の最外層に設置され、その上縁部に被覆部となる折れ端２２４を形成する。
【０００８】
このような構造によって、本考案の実施例は重層構造による高強度の棺本体２０の構造をつくり、この重層構造の設計によって被覆板２１が提供すべき構造力を分担し（被覆板は連続して折り曲げられることによって構造力を形成する）、該被覆板２１のサイズを縮小して、その加工プロセスに大型機具を使用する手間を省くことができるため、重層構造を利用で強度と加工性を向上させる効果がある。
【０００９】
図６において、蓋３０の実施例は、周縁が下に折れ曲がり凵型の溝をつくる被覆板３１と、被覆板３１の内側にあり、被覆板３１の凵型の溝３１１内に設置され、周縁が下に折れ曲がって垂直状の結合面３２１をつくり、上縁面と被覆板３１の間に複数の細長い紙板３２２を設置する高度の空間Ｓを形成する第二層板３２と、外側面が折れ曲がり倒し式Ｌ型部３３１をつくり、被覆板３１の凵型の溝３１１内に入り、上述の第二層板３２の構造面３２１としっかりくっつき、凵型の溝３１１内で固定され、内側面が垂直に伸びて小さな段をつくり、凵型の溝３１１の内側のカムロック部３３２で凸状に伸び、棺本体２０の開口部の内側周縁にかぶさる内側板３３とを有する。
【００１０】
このような構成によって、本考案の実施例は重層構造による高強度の蓋３０の構造をつくり、上述の棺２０とともに、強度と加工の便利性を向上させることができる。その表面は当然図１に示すように、更に装飾層１０を設置して、見た目を美しくすることができる。
【図面の簡単な説明】
【図１】本考案の一実施例による紙棺材を示す構造外観図である。
【図２】本考案の一実施例による棺本体構造を示す分解図である。
【図３】本考案の一実施例による棺本体主構造板の重層状態を示す説明図である。
【図４】本考案の一実施例による棺本体構造を示す断面図である。
【図５】本考案の他の実施例による棺本体を示す構造断面図である。
【図６】本考案の一実施例による蓋の構造を示す断面図である。
【符号の説明】
１０　装飾層
２０　棺本体
２１　被覆板
２２　主構造板
２３　底面構造板
２４　側面構造板
３０　蓋
３１　被覆板
３２　第二層板
３３　内側板
２１１、２２１、２２１　底面
２１２　長側面
２１３　短側面
２１４、２２３　ウイング
２１５、２２４　折れ端
２２２　側面
３１１　凵型溝
３２１　構造面
３２２　紙板
３３１　倒し式Ｌ型部
３３２　カムロック部
【図１】
0003097782.tif 000003
【図２】
0003097782.tif 000004
【図３】
0003097782.tif 000005
【図４】
0003097782.tif 000006
【図５】
0003097782.tif 000007
【図６】
0003097782.tif 000008